(57)【特許請求の範囲】
【請求項１】
組立プレート（１）を位置決めするための複数の位置決めポケット（２１Ａ、２１Ｂ、２１Ｃ、２１Ｄ）を備える組立キット（Ｂ）のための位置決め要素（２）であって、各位置決めポケット（２１Ａ、２１Ｂ、２１Ｃ、２１Ｄ）は、仮想の三次元座標系の原点（０）から面内に延在し、前記組立プレート（１）を保持するための互いの距離（ｂ）を有して相互作用して向かい合う二つの保持プレート（２０Ａ、２０Ｂ）を備え、各位置決めポケット（２１Ａ、２１Ｂ、２１Ｃ、２１Ｄ）は、さらに、前記向かい合う二つの保持プレート（２０A、２０B）の間の直交接続（２３）を有し、前記直交接続（２３）は、前記組立プレート（１）が前記位置決めポケット（２１Ａ、２１Ｂ、２１Ｃ、２１Ｄ）の中に設置された時に、前記組立プレート（１）のための支持具を形成し、前記複数の位置決めポケットの少なくとも一つの、相互作用して向かい合う前記保持プレート（２０Ａ、２０Ｂ）の少なくとも二つは、貫通孔の形態の二つの固定手段（２４）を有し、前記二つの固定手段（２４）は、仮想の正方形面の原点（０）から延在する仮想の対角線（ｄ）の両側に対称に配置され、加えて前記組立プレートのその固定のための固定手段（１０）と相互作用するよう配置される、ことを特徴とする、位置決め要素（２）。
【請求項２】
前記直交接続（２３）は、前記複数の位置決めポケット（２１Ａ、２１Ｂ、２１Ｃ、２１Ｄ）の二つの間に仕切壁（２３）を形成し、その間の接続手段を備えることを特徴とする、請求項１に記載の位置決め要素（２）。
【請求項３】
前記距離（ｂ）は、１ｍｍから２０ｍｍの範囲であることを特徴とする、請求項１に記載の位置決め要素（２）。
【請求項４】
前記固定手段（２４）は、前記位置決めプレート（２０Ａ、２０Ｂ）に互いに向かい合って配置される貫通孔（２４）を備え、前記貫通孔（２４）の中心は、前記座標系の座標軸（Ｘ、Ｙ、Ｚ）のいずれかから、角度１５度から３０度および／または６０度から７５度で配置され、固定手段（２５）と相互作用するよう配置される、請求項１に記載の位置決め要素（２）。
【請求項５】
前記位置決めプレート（２０Ａ、２０Ｂ）の厚さ（ｔ）は、１ｍｍから２０ｍｍであることを特徴とする、請求項１に記載の位置決め要素（２）。
【請求項６】
前記位置決めプレート（２０Ａ、２０Ｂ）の辺の長さ（ｌ）は、２０ｍｍから１５０ｍｍの範囲であることを特徴とする、請求項１に記載の位置決め要素（２）。
【請求項７】
前記仕切壁（２３）は、前記位置決めプレート（２０Ａ、２０Ｂ）の辺の長さ（ｌ）の少なくとも半分に沿って延在することを特徴とする、請求項１に記載の位置決め要素（２）。
【請求項８】
少なくとも一つの追加の仕切壁（２３）を介して、前記二つの位置決めポケット（２１Ａ、２１Ｂ、２１Ｃ、２１Ｄ）のいずれかに接続される追加の位置決めポケット（２１Ａ、２１Ｂ、２１Ｃ、２１Ｄ）を備えることを特徴とする、請求項２に記載の位置決め要素（２）。
【請求項９】
前記仕切壁（２３）は、空間中の少なくとも二つの任意の面内の前記位置ポケット（２１Ａ、２１Ｂ、２１Ｃ、２１Ｄ）の間の所望の角度を許容することを特徴とする、請求項２に記載の位置決め要素（２）。
【請求項１０】
組立プレート（１）を請求項１に記載の位置決め要素（２）の位置決めポケット（２１Ａ、２１Ｂ、２１Ｃ、２１Ｄ）に位置決めするための少なくとも一つの角（ｈ２）を備える組立キット（Ｂ）のための組立プレート（１）であって、
その角（ｈ２）は、少なくとも前記位置決めポケット（２１Ａ、２１Ｂ、２１Ｃ、２１Ｄ）の延長を備える平らな延長を有し、前記角（ｈ２）は仮想の三次元座標系の原点（０）から始まり、正方形面に係る仮想の対角線（ｄ）に対して４５度から９０度の角度（ｖ２）を有し、その対角線（ｄ）は原点（０）から延在し、前記組立プレートは前記位置決め要素（２）の固定手段（２４）と相互作用するよう配置される少なくとも一つの固定手段（１０）を備える、組立プレート（１）において、
前記固定手段（１０）は、前記仮想の対角線（ｄ）のそばに配置されることを特徴とする、組立プレート（１）。
【請求項１１】
前記固定手段（ｌ０）の中心は、前記座標系の前記座標軸（Ｘ、Ｙ、Ｚ）のいずれかから角度１５度から３０度および／または６０度から７５度で配置されることを特徴とする、請求項１０に記載の組立プレート（１）。
【請求項１２】
前記固定手段（１０）は、固定手段（２５）と相互作用するよう配置されることを特徴とする、請求項１０または請求項１１に記載の組立プレート（１）。
【請求項１３】
厚さ（Ｔ）が、１ｍｍから２０ｍｍの範囲であることを特徴とする、請求項１０から請求項１２のいずれか一項に記載の組立プレート（１）。
【請求項１４】
長さ（Ｌ）が、１０ｃｍから１００ｃｍの範囲であることを特徴とする、請求項１０から請求項１３のいずれか一項に記載の組立プレート（１）。
【請求項１５】
高さ（Ｈ）が、１０ｃｍから１００ｃｍの範囲であることを特徴とする、請求項１０から請求項１４のいずれか一項に記載の組立プレート（１）。
【請求項１６】
請求項１から請求項９のいずれか一項に記載の位置決め要素（２）と請求項１０から請求項１５のいずれか一項に記載の組立プレート（１）とを備えることを特徴とする、組立キット（Ｂ）。
【請求項１７】
前記組立プレート（１）の角（ｈ２）は、前記位置決め要素（２）の位置決めポケット（２１Ａ、２１Ｂ、２１Ｃ、２１Ｄ）に挿入してもよく、前記組立プレート（１）の前記角（ｈ２）及び前記位置決めポケット（２１Ａ、２１Ｂ、２１Ｃ、２１Ｄ）は、三次元座標系の同じ面内に延在し、前記座標系の同じ原点（０）を共有することを特徴とする、請求項１６に記載の組立キット（Ｂ）。
【請求項１８】
前記位置決め要素（２）の前記固定手段（２４）および前記組立プレート（１）に配置される前記固定手段（１０）は、相互の固定のために互いに相互作用するよう配置されることを特徴とする、請求項１６または１７に記載の組立キット（Ｂ）。
【発明の詳細な説明】
【技術分野】
【０００１】
本発明は、組立プレートおよび位置決め要素を備える組立キットに関する。
【背景技術】
【０００２】
昔から、人々は子供も大人も様々な種類の模型／構造物を造り、螺合することを楽しみとしてきたことが知られている。それは非常に楽しめるものであり、また教育的でもある。多くの人々は、かつて、ＭＥＣＣＡＮＯ、ＬＥＧＯ等によって組み立てた物を持っていたようである。よく知られた組み立てキットは、しばしば多くの小さな異なる部品を含むので、組み立てる人は、小さな部品を扱い、異なるパーツを組み合わせて模型にできるような、良好な精神運動スキルおよび正確さを必要とする。
【０００３】
ＷＯ２０１１００３４１７を通して、接続要素および角が接続要素に接続される壁パネルを有する組立キットが既に知られている。ＤＥ１０２０１１００８１３７を通して、構築レンガがカップリングを介して接続されヒンジを形成する、木でできた玩具キットが既に知られている。ＷＯ９８４２４２３を通して、キットが平らな要素を含み、成型要素および二つの第一変形例を組み合わせた要素が大きな玩具構造物を構築するのに用いられうる、組立キットの別の変形例が知られている。文書ＣＡ２１２０１３では、様々な大きさおよび形状のパネルおよびレールからなる組立キットが説明される。パネルは、レールの溝に順に挿入されて、所望の構造物を構築する。
【発明の概要】
【発明が解決しようとする課題】
【０００４】
本発明の目的は、上述の問題を解消するか、または少なくとも最小にすることであり、請求の範囲で請求する位置決め要素、組立プレートおよび組立キットで達成される。
【課題を解決するための手段】
【０００５】
本発明によると、組立キットは、位置決め要素および組立プレートを備えて提供される。このアイデアは、関連するパーツの単純で容易な組み合わせにもとづいているので、若年者が小さなおよび大きな三次元模型を構築するのを可能にする。よって、創造性とアイデアの不足のみが、達成したいものを妨げうる。
【０００６】
本発明の一態様によれば、組立キットは、間に距離がある二つの相互作用して向かい合う保持手段を有する少なくとも一つの位置決めポケットを備える位置決め要素からなり、、それらの位置決めポケットの端部に近接して、前記二つの向かい合う保持手段の間に直交接続が提供されて仕切壁を形成する。前記仕切壁は、前記位置決めポケットのいずれかに設置される組立プレートの支持具を備え、また、二つの位置決めポケットの間の接続手段を備える。それは、単純な組立プレートは、前記位置決めポケットに正しく配置することができ、位置決めポケット内で、組立プレートは保持手段によって支持されることを示す。
【０００７】
本発明の別の態様によれば、位置決めポケットに配置される異なる角度の角を備える組立プレートが位置決めポケットに嵌合し、良好な支持を得るよう、位置決めポケットはそれぞれが約２０度から９０度の角度を有する角を備える。
【０００８】
本発明のさらに別の態様によれば、前記保持手段は好ましくは、間に距離がある二つの向かい合う面平行な約１ｍｍから２０ｍｍの位置決めプレートからなる。距離は組立プレートの厚さに適応することで、一定の抵抗を有する組立プレートが、組立プレートに適応された距離のおかげで、位置決めプレートの間で押圧されてそこで適切な位置に留まり、位置決めプレートの間で揺れない。
【０００９】
本発明の追加の態様によれば、位置決めプレートは、前記角において、お互いのちょうど正面に配置される少なくとも一つの固定手段を備える。前記固定手段は、好ましくは、固定手段と相互作用するよう配置される貫通孔を備え、それは、組立プレートおよび位置決め要素が、互いに係止することができ、倒壊の恐れがないことを示す。
【００１０】
本発明のさらなる態様によれば、プレートは好ましくは約１ｍｍから２０ｍｍの厚さを有し、それによって位置決め要素の取り扱いが容易になる。
【００１１】
本発明の別の態様によれば、仕切壁は位置決めプレートの辺の長さの少なくとも二分の一に沿って、好ましくは辺の全長に沿って延在し、組立プレートの有効な留め具および位置支持具となる。
【００１２】
本発明の一態様によれば、追加の仕切壁は、二つの位置決めポケットの間の接続手段を備える。それは、組立プレートが異なる方向から異なる位置決めポケットに挿入でき、接続手段がそれらのプレートの支持具となることを意味する。
【００１３】
本発明のさらなる一態様によれば、位置決め要素は間の角度が異なる複数の位置決めポケットを備える。それは、組立プレートが異なる角度で全く同じ位置決め要素に設置でき、三次元模型が構築できることを意味する。
【００１４】
本発明の一態様によれば、組み立てキットは、実質的に平らで少なくとも一つの角を備えた組立プレートを備え、前記角の角度は２０度から９０度である。また組み立てキットは、位置決め要素を有する固定手段と相互作用するよう配置される少なくとも一つの固定手段を備える。それによって、組立プレートと位置決め要素とを結合させるのが容易になり、相互作用する固定手段は、パーツがお互いに係止するのを可能にし、安全性が向上する。
【００１５】
本発明の別の態様によれば、組立プレートと位置決め要素の固定手段は、相互作用する貫通孔からなる。それによって、ネジやナットなどの固定手段で、パーツがお互いに係止するのが可能になる。
【００１６】
本発明の追加の態様によれば、組立プレートの厚さは約１ｍｍから２０ｍｍであり、その厚さは位置決めプレートの間の距離に適応することで、一定の抵抗を有する組立プレートが、距離に適応した厚さのおかげで、位置決めプレートの間で押圧されてそこで適切な位置に留まることができ、プレートは位置決め要素にしっかりと位置決めされる。
【００１７】
本発明の別の態様によれば、組立プレートの長さは約１０から１００ｃｍｍである。それによって、取り扱いが容易になり、組立に用いるのが簡単になる。
【００１８】
本発明は、添付の図面を参照して、以下により詳細に説明する。
【図面の簡単な説明】
【００１９】
【図１】本発明による組み立てキットを組み立てた模型の斜視図。
【図２】本発明による位置決め要素の代替案の斜視図。
【図３】本発明による位置決め要素の代替案の斜視図
【図４】本発明による位置決め要素の多くの異なる実施形態の側面図。
【図５】本発明による組立プレートの側面図。
【図６】本発明による組立プレートの多くの異なる実施形態の側面図。
【図７】本発明による組み合わせた模型の角を示す図。
【図８】本発明による組み合わせた組立プレートおよび位置決め要素の側面図。
【図９】本発明による位置決め要素で組み合わせた組立プレートの側面図。
【発明を実施するための形態】
【００２０】
図１は、本発明による組み立てキットＢを組み立てた二つの翼を有する飛行機の形状の模型の斜視図である。この模型は、およそ２×１×１．５ｍであり、どの大きさで模型が造られうるかが感覚としてわかる。本発明は、厳密にこれらの寸法に限定されず、所望であれば、かなり小さくまたは大きくもできることが認められる。組立キットは、位置決め要素２および組立プレート１を備え、それらは前記位置決め要素２によって互いに固定される。パーツについては、下記に詳細に説明する。
【００２１】
本発明の組立キットＢの目的は、子供や若年者が登ったり留まったりできる大きさの模型を作れることであり、模型はそのような負荷に耐えるよう組み立てられるものである。下記で説明する材料および寸法は、そのような負荷に耐えるよう設計されるが、他の材料および寸法もまたこの負荷に耐えるのに適しうることが認められる。本発明による組立キットＢは、下記に説明する例よりもかなり大きくもしくは小さく作られうる。例えば、寸法は、模型が模型の作り手に適し、よって関連するパーツがより小さな負荷に耐えうるよう、縮小することができる。同様に、組立キットＢの寸法は、大人も遊ぶことができ、模型の中／上に留まることができるよう、より大きく作られうる。その場合は、関連するパーツは、より重い負荷に耐える必要がある。組立キットＢの関連するパーツは、このように、所望の用途に適用する。
【００２２】
図２は、本発明による位置決め要素２の変形例であり、斜視図で示す。位置決め要素２は、第一位置決めポケット２１Ａおよび第二位置決めポケット２１Ｂを備える。第一位置決めポケット２１Ａは、軸（Ｘ、Ｙ、Ｚ）を有する仮想のデカルト座標系の平面（０、Ｙ、Ｚ）に延在し、第二位置決めポケット２１Ｂは、原点から始まる同座標系の平面（Ｘ、０、Ｚ）に延在する。第一位置決めポケット２１Ａおよび第二位置決めポケット２１Ｂはそれぞれ、相互作用して向かい合う、互いの間に距離ｂを有する保持手段２０Ａ、２０Ｂを備える。前記保持手段２０Ａ、２０Ｂは、好ましくは、二つの向かい合う面平行な位置決めプレート２０Ａ、２０Ｂを備える。これらの位置決めポケット２１Ａ、２１Ｂの端部に近接して、直交接続２３が、前記二つの向かい合う位置決めプレート２０Ａ、２０Ｂの間に配置され、位置決めポケット２１Ａ、２１Ｂの間に仕切壁２３を形成する。さらに、前記仕切壁２３は、前記第一位置決めポケット２１Ａおよび第二位置決めポケット２１Ｂのいずれかに設置される前記組立プレート１の支持具であり、また、二つの位置決めポケット２１Ａ、２１Ｂの接続手段である。仕切壁２３は、上記仮想の座標系の原点から始まり、仕切壁は、仮想のＺ軸に沿って延在し、第一位置決めポケット２１Ａおよび第二位置決めポケット２１Ｂはそれぞれ、前記仕切壁２３からＹおよびＸ方向に延在する。第一位置決めポケット２１Ａおよび第二位置決めポケット２１Ｂは、このように、それらの間の角度が９０度で配置され、共通の仕切壁２３を有する。さらに、位置決めポケット２１Ａ、２１Ｂは、それぞれ角ｈ１を備え、その角１は、座標系の前記座標軸Ｘ、Ｙ、Ｚのいずれかから延在する角度ｖ１を有する。角度ｖ１の大きさは、約２０度から９０度であり、より好ましくは３０度から９０度であり、最も好ましくは４５度から９０度であり、第一位置決めポケット２１Ａの角度ｖ１はＹ軸とＺ軸との間で延在し、第二位置決めポケット２１Ｂの角度ｖ１はＸ軸とＺ軸との間で延在する。ここで説明する例においては、角度ｖ１は９０度である。位置決めプレート２０Ａ、２０Ｂの距離ｂは、約１ｍｍから２０ｍｍであり、より好ましくは２ｍｍから１５ｍｍであり、最も好ましくは３ｍｍから８ｍｍである。位置決めプレート２０Ａ、２０Ｂはそれぞれ少なくとも一つの、しかし好ましくは二つの固定手段２４を前記角ｈ１に備え、互いに向かい合って配置される。好ましくは、前記固定手段２４は貫通孔２４からなり、その中心は１５度から３０度および／または６０度から７５度、好ましくは２２．５度および／または６７．５度で配置され、その角度はＹ方向とＺ方向との間およびＸ方向とＺ方向との間にそれぞれ延在する。固定手段２４は、ネジやナットなどの固定手段２５と相互作用するよう配置される。
【００２３】
位置決めプレート２０Ａ、２０Ｂの厚さｔは約１ｍｍから２０ｍｍであり、より好ましくは２ｍｍから１５ｍｍであり、最も好ましくは３ｍｍから６ｍｍである。ここで説明する例では、４ｍｍである。さらに、位置決めプレート２０Ａ、２０Ｂの辺の長さｌは、約２０ｍｍから１５０ｍｍ、より好ましくは４０ｍｍから１００ｍｍ、最も好ましくは７０ｍｍから９０ｍｍである。
【００２４】
前記仕切壁２３は、位置決めプレート２０Ａ、２０Ｂの辺の長さｌの少なくとも半分に沿って延在し、好ましくは辺の長さｌの全長に沿って延在し、第一位置決めポケット２１Ａと第二位置決めポケット２１Ｂの接続手段であり、また、位置決めポケット２１Ａ、２１Ｂのいずれかに配置される組立プレート１の支持具でもある。位置決めポケット２１Ａ、２１Ｂはまた、追加の仕切壁２３を、位置決めポケット２１Ａ、２１Ｂの他のいずれのの端部に沿っても備えうる。これらの仕切壁２３はまた、前記位置決めポケット２１Ａ、２１Ｂのいずれかに設置される組立プレート１の支持具を備える。図２で説明される位置決め要素２は、二つの位置決めポケット２１Ａ、２１Ｂの共通の仕切壁２３を備え、共通の仕切壁２３は、仮想のＺ軸に沿ったＺ方向に延在する。さらに、二つの位置決めポケット２１Ａ、２１Ｂはまた、前記二つの向かい合う位置決めプレート２０Ａ、２０Ｂの間の直交接続２３をそれぞれ備え、直交接続２３は側壁２３Ａ、２３Ｂからなり、第一位置決めポケット２１Ａの側壁２３Ａは仮想のＹ軸に沿ったＹ方向に延在し、第二位置決めポケット２１Ｂの側壁２３Ｂは仮想のＸ軸に沿ったＸ方向に延在する。本実施形態では、各位置決めポケット２１Ａ、２１Ｂの側壁２３Ａ、２３Ｂは、共通の仕切壁２３（図示せず）について９０度の角度で配置され、それによって、位置決めポケット２１Ａ、２１Ｂのいずれかに設置される組立プレート１が仕切壁２３および位置決めポケット２１Ａ、２１Ｂの側壁２３Ａ、２３Ｂによって支持される。二つの向かい合う位置決めプレート２０Ａ、２０Ｂの間の直交接続２３は、部分的には二つの位置決めポケットの間の、図２のＺ方向に延びる仕切壁２３のような仕切壁であり、部分的には向かい合う位置決めプレート２０Ａ、２０Ｂの間の距離であり、位置決めポケット２１Ａ、２１Ｂに配置される組立プレートの支持具であることが認められる。直交接続２３が例えば図２のＸ方向およびＹ方向に延びる場合、直交接続２３は向かい合う位置決めプレート２０Ａ、２０Ｂの間の距離であり、位置決めポケット２１Ａ、２１Ｂに配置される組立プレート１の支持具であり、また底部への距離でもありうる。
【００２５】
位置決め要素２はまた、追加の位置決めポケットを備えうる。そのような例の変形例を、図３に示す。位置決め要素２は、第三位置決めポケット２１Ｃを備える。その位置決めポケット２１は、第一位置決めポケット２１Ａと第二位置決めポケット２１Ｂの共通の仕切壁２３から面（０、Ｙ、Ｚ）に延在し、第二位置決めポケット２１Ｂについて９０度の角度で配置される。また、第三位置決めポケット２１Ｃは側壁２３Ｃを備え、側壁２３Ｃは仮想のＹ軸に沿ったマイナスＹ方向に延在する。このように、三つの位置決めポケット２１Ａ、２１Ｂ、２１Ｃは、共通の仕切壁２３から異なる面に延在し、共通の仕切壁２３は、仮想のＺ軸に沿ったＺ方向に延在する。本実施形態では、第一位置決めポケット２１Ａと第二位置決めポケット２１Ｂ、および第二位置決めポケット２１Ｂと第三位置決めポケット２１Ｃがそれぞれ相対角度９０度で配置され、位置決め要素２は大文字のＴの形状を得る。当業者であれば、第四位置決めポケット２１Ｄが第三位置決めポケット２１Ｃについて９０度の角度で配置されうること、そして位置決め要素２がプラス記号（＋）の形状を得ることがわかる。
【００２６】
本発明の思想の枠内で、さらに多くの位置決めポケットを有し、および／または関連する位置決めポケットを座標系の異なる面に配置しうる代替の位置決め要素２を作り出すことが可能である。共通の仕切壁２３は、ヒンジと見なすことができ、位置決めポケットはそれに基づいて回転し異なる方向／面に配置しうる。仕切壁２３は、空間中の少なくとも二つの任意の面の少なくとも二つの位置ポケット２１Ａ、２１Ｂ、２１Ｃの間の所望の角度を、許容する。位置決め要素２は、継ぎ目なく、好ましくは押し出し加工もしくは射出成形によって製造される。位置決め要素２の異なるパーツを機械で作り、それらを例えば糊で組み合わせることもまた可能である。
【００２７】
図４ａ-ｆでは、位置決め要素２の実施形態の、多くの異なる例を示す。位置決め要素２は、側面から、そして断面で見られる。それらはまた、図の中に入っていく位置決めポケットも備えることができ、それによって、例えば図４ａに示される位置決め要素２が図の中に真っ直ぐ延在する部分を有することができ、したがって、図３で描かれる実施形態を得ることが認められる。図４ｂで描かれる位置決め要素２は、図２で描かれる位置決め要素２と、図３で描かれる位置決め要素２の両方に見えうる。すべての位置決め要素２に共通するのは、原点を備え、そこから一つまたはいくつかの位置決めポケットが延在することである。位置決め要素２が一つより多くの位置決めポケットを備える場合、位置決め要素２は、二つの位置決めポケットの間に共通の仕切壁２３を有する。さらに、各位置決めポケット２１Ａ−Ｄは、望ましくは、仮想の座標系の軸のいずれかに沿って延在する各位置決めポケットの辺に沿った側壁２３Ａ−Ｄを有する。図４ｈにおいて、第一位置決めポケット２１Ａおよび第二位置決めポケット２１Ｂは、上記した固定手段２４の位置の代替の位置を有するが、本発明には含まれない。当業者であれば、ここで説明されるものとは別の複数の代替方法で、本発明の目的から逸脱することなく、固定手段２４を配置しうることが分かる。好ましくは、固定手段２４は、特に好適な実施形態で示すように、仮想の正方形面の原点０から始まる仮想の対角線ｄの両側に左右対称に配置される。このように、組立プレートが任意の方向に回転しうるという利点が達成される。また、角ｈ２が９０度より小さい組立プレートを配置することも可能であるが、その固定手段は、やはり、仮想の正方形面の原点０から始まる仮想の対角線ｄの両側へ左右対称に設置するという本発明の思想によって配置され、位置決めポケットの対角線の片側の固定手段２４のみと相互作用するが、なお、位置決め要素の組立プレートの安定した固定を達成する。図９では、角度ｖ２が４５度の組立プレートが左上の位置決めポケット内に示され、よって仮想の対角線ｄが組立プレートの一つの縁部と一致する。組立パネル１の固定手段１０は、したがって、前記仮想の対角線ｄのそばに配置され、位置決めポケット２０Ａの固定手段２４と相互作用する。図４は、真上、すなわち、紙面から観察者に向かって延在する仮想のＺ軸から見た位置決め要素２の四つの異なる変形例を示す。それによって、例えば図３に描く位置決め要素２を図４で見られる。このように、、三つの位置決めポケット２１Ａ、２１Ｂ、２１Ｃは全て、仮想のＺ軸に沿ったＺ方向に延在する共通の仕切壁２３から異なる面に延在する。本実施形態では、第一位置決めポケット２１Ａと第二位置決めポケット２１Ｂ、および第二位置決めポケット２１Ｂおよび第三位置決めポケット２１Ｃはそれぞれ、位置決めポケットが相対角度９０度で配置される。図４ｊに示す位置決め要素２を用いることによって、組立プレート１が第一位置決めポケット２１Ａに配置される際、傾斜面を獲得しうる。当業者であれば、異なる形状の位置決めポケット２１Ａ、２１Ｂ、２１Ｃ、２１Ｄを結合することによって、所望の位置決め要素２を獲得し、各位置決めポケットは組立プレー��１の部分を受け止めうることが分かる。それについては以下に詳細に説明する。位置決め要素２に多くの異なる角度の位置決めポケットや模型を提供することで、関連する組立プレート１の全ての可能な傾きを有する三次元模型を簡単に造ることができる。
【００２８】
図５は、本発明による組立プレート１を示す。前記組立プレート１は、本質的に平らであり、少なくとも一つの角ｈ２を備える。前記角ｈ２が上記のように位置決めポケットに挿入されると、組立プレート１は位置決めポケット２１Ａ、２１Ｂ、２１Ｃ、２１Ｄと同じ面に延在し、同じ仮想の座標系の同じ原点０を共有する。角ｈ２の角度は、約２０度から９０度、より好ましくは約３０度から９０度、最も好ましくは約４５度から９０度であり、位置決め要素２の固定手段２４と相互作用するよう配置される少なくとも一つの固定手段１０を備える。組立プレート１を位置決めポケット２１Ａ−Ｄに固定すると、少なくとも一つの、しかし好ましくは二つの、角ｈ２から延在する組立プレートの辺２６が、仕切壁２３および位置決めポケット２１Ａ−Ｄの側壁２３Ａ−Ｄと相互作用する。
【００２９】
組立プレート１の厚さＴは、約１ｍｍから２０ｍｍであり、より好ましくは２ｍｍから１５ｍｍであり、最も好ましくは３ｍｍから６ｍｍである。組立プレート１の長さＬおよび高さＨは、約１０ｃｍから１００ｃｍであり、より好ましくは２０ｃｍから６０ｃｍであり、最も好ましくは長さＬおよび高さＨが３０ｃｍである。組立プレート１は、例えばＰＶＣのようなプラスチック、またはベニヤ板などの木のような耐久性のある材料で製造され、好ましくは、ケガを防ぐために、やや丸みのある角を有する。図５に示す組立プレート１は、一辺が３０ｃｍ、厚さＴが４ｍｍの正方形である。厚さＴは、一つの位置決めポケット２１Ａ、２１Ｂ、２１Ｃ、２１Ｄの位置決めプレート２０Ａ、２０Ｂの間の距離ｂに適応することが分かる。これに加えて、厚さＴは組立プレートに選ばれる材料に適応する。それによって、組立プレート１は強度を得る。それは、図示する実施形態において、子供や若年者が遊ぶ負荷に耐える模型が造られうることを意味する。位置決め要素２の寸法および材料は、模型に十分な強度を与えるよう、同様に選択される。同様に、固定手段について以下に説明する。
【００３０】
説明する本例では、組立プレート１は、１３個の固定手段１０を備え、この場合は、直径Ｄが約２ｍｍから２５ｍｍ、より好ましくは５ｍｍから１０ｍｍの固定貫通孔１０である。固定孔１０は、プレートの中心に配置され、プレート１の各端部２５の真ん中に一つ、各角ｈ２に二つ配置される。組立プレートの各角の二つの固定孔１０は、好ましくは、組立プレートの仮想の対角線のそれぞれの側に、左右対称に配置される。対角線ｄは、組立プレートの角ｈ２が延在する、仮想の面の原点０から延在する。好ましくは、前記固定手段１０は、貫通孔２４からなり、その中心は、前記座標系の前記座標軸Ｘ、Ｙ、Ｚのいずれかから、角度１５度から３０度および／もしくは６０度から７５度、好ましくは２２．５度および／もしくは６７．５度で配置され、角度は、Ｙ方向とＺ方向との間およびＸ方向とＺ方向との間にそれぞれ延在する。固定手段１０は、例えばネジおよびナットなどの固定手段２５と相互作用するよう配置される。
【００３１】
異なる模型を造ることを可能にするために、組立プレート１が、例えば正方形、長方形、三角形、もしくは他の幾何学形状のような、全ての可能な考えられる形状で利用可能なことは有利である。本発明による組立プレート１の多くの形状が、図６ａ−ｅに示される。本発明による組立キットでは、組立プレート１を任意の方法で結合できることが望ましく、したがって、組立キットに含まれる様々な変形例の組立プレートの辺Ｈ、Ｌの長さは、仕切壁２３の長さＸと厚さａの倍数である。ａは、二つの位置決めプレート２０Ａ、２０Ｂの厚さｔと位置決めプレート２０Ａ、２０Ｂの間の距離ｂを足したものである。すなわち、ａ＝２ｔ＋ｂである。また、上記よりも薄い組立プレート１を有することも可能である。例えば、もし模型のボンネットを造るとすれば、組立プレート１は、曲げられてボンネットを形成するほど薄いものが使われうる。そして、薄いプレートの縁／角は、位置決めポケット２１Ａ、２１Ｂ、２１Ｃ、２１Ｄに挿入され、固定手段２５で固定される。このように、位置決めポケット２１Ａ、２１Ｂ、２１Ｃ、２１Ｄに挿入される組立プレート１の一部は、好ましくは実質的に平らであり、残りの部分は他の形状を有しうる。
【００３２】
図７は、三つの組立プレート１と一つの位置決め要素２を組み合わせた三次元模型の角を示す。位置決め要素２は、共通の原点０を有する三つの位置決めポケット２１Ａ、２１Ｂ、２１Ｃを備える。第一位置決めポケット２１Ａは、面（Ｘ、Ｙ、０）に延在し、第二位置決めポケット２１Ｂは、面（０、Ｙ、Ｚ）に延在し、第三位置決めポケット２１Ｃは、面（Ｘ、０、Ｚ）に延在する。第一位置決めポケット２１Ａおよび第二位置決めポケット２１Ｂは、原点０からＹ軸に沿って延在する共通の仕切壁２３を有する。第二位置決めポケット２１Ｂおよび第三位置決めポケット２１Ｃは、原点０からＺ軸に沿って延在する共通の仕切壁２３を有する。第三位置決めポケット２１Ｃおよび第一位置決めポケット２１Ａは、原点０からＸ軸に沿って延在する共通の仕切壁２３を有する。組立の際、組立プレート１の角ｈ２は、プレートの側端２６が、組立プレート１が挿入された位置決めポケットの二つの保持具２３に当接するまで、位置決めポケット２１Ａ、２１Ｂ、２１Ｃの一つに挿入される。組立プレート１が一つの位置決めポケット２１Ａ、２１Ｂ、２１Ｃ、２１Ｄに挿入されると、組立プレート１は位置決めポケット２１Ａ、２１Ｂ、２１Ｃ、２１Ｄと同じ面に延在する。組立プレートの角ｈ２は、位置決め要素２の原点０に当接する。位置決めプレート２０Ａ、２０Ｂの間の距離ｂは、プレートの厚さＴより大きく、ｂ＞Ｔである。
【００３３】
二つの位置決めプレート２０Ａ、２０Ｂの間の距離ｂは、一定の抵抗が、組立プレート１を位置決めポケット２１Ａ、２１Ｂ、２１Ｃに挿入する際に現れるよう、組立プレートの厚さＴに適応する。それによって、組立プレート１と二つの位置決めプレート２０Ａ、２０Ｂとの間に緊密な当接が生じる。組立プレート１が位置決めプレート２１Ａ、２１Ｂ、２１Ｃ、２１Ｄに挿入されると、建造者が可能な固定手段をつかむために保持を解除しても、組立プレート１はその位置を保つ。このように、二つの位置決めプレート２０Ａ、２０Ｂが組立プレートの側面１Ａ、１Ｂの部分に当接して支持するので、組立プレート１は、その位置を維持する。組立プレート１が位置決めポケット２１Ａ、２１Ｂ、２１Ｃに設置されると、本例では貫通孔である、組立プレートの固定孔１０と位置決め要素の固定手段２４は、何かしらの固定手段２５が組立プレート１を位置決めポケットに固定するのに使われうるよう、一致するように配置される。さらに、第二および第三の組立プレート１が、他の位置決めポケット２１Ａ、２１Ｂ、２１Ｃに上記と同じように挿入されうる。この位置から、組立プレート１は、異なる位置決め要素２を用いて、完全に、用いられる位置決め要素２によって、数方向に造られうる。三次元模型を造るためには、組立プレート１を異なる方向／角度に曲げることが可能であるべきであり、位置決め要素２は、多くの異なる面に位置決めポケットを備えうることが分かる。したがって、非直角の角を有する模型を作ることもまた可能である。よって位置決めポケット２１Ａ、２１Ｂ、２１Ｃ、２１Ｄは、上記のように、二つの位置決めポケット２１Ａ、２１ｂ、２１Ｃ、２１Ｄの間の角度が９０度だけでなく鋭角でも鈍角でもありうるよう配置されうる。
【００３４】
固定孔１０の直径Ｄは、好ましくは固定手段２４の直径Ｄ′に対応し、固定手段２５はネジ２５Ａおよびナット２５Ｂでありうる。図９は、第一位置決めポケット２１Ａ、第二位置決めポケット２１Ｂ、第三位置決めポケット２１Ｃを有する位置決め要素２を示す。組立プレート１は、組立プレートの固定孔１０および位置決めポケットの固定手段２４が一致し、互いに重なり合うよう、三つの位置決めポケットすべてに配置される。左上の位置決めポケットでは、組立プレート１がどのように角ｈ２で配置されるかの例を示す。角ｈ２の角度ｖ２は９０度よりも小さく、より正確には、角度はｖ２＝４５度である。ここでは、仮想の対角線ｄのそばに配置される、組立プレートの固定孔１０が、仮想の対角線ｄの片側で、位置決めポケットの固定手段２４とどのように一致するかを示す。ここでは、角度ｖ２＝４５度の組立プレート１の固定孔１０の位置が、本発明の同じ概念を用いることもまた示す。その概念では、固定孔１０の位置は、本発明の思想によると原点０から仮想の正方形面に延在する仮想の対角線ｄのそれぞれの側に左右対称に配置される固定手段２４のいずれかの位置と一致する。したがって、組立プレート１は、９０度より小さい角度ｖ２でも良好な固定が提供されうる。ネジ２５Ａおよびナット２５Ｂ（図示せず）は、固定孔１０および第二位置決めポケット２１Ｂの固定手段２４を介して配置される。ここで説明した例では、ネジ２５Ａのヘッドの直径Ｄ´は２０ｍｍから３０ｍｍであり、好適には約２５ｍｍである。これは子供が扱うのにも、リハビリ目的で組立キットを使用する人にも適切な大きさである。本発明の別の重要な態様は、ネジ２５Ａおよびナット２５Ｂが固定手段として用いられる際、ネジ２５Ａの頭の直径Ｄ′は位置決めプレート２０Ａ、２０Ｂの端部の内側のネジ頭のための空間よりも大きくあるべきではないということである。そうでなければ、二つの近接した位置決めポケットに使われる二つのネジ２５Ａは、互いに障害となる恐れがある。同じ理由で、ナット２５Ｂの大径Ｄ″は、位置決めプレートの端部の内側の、ナット２５Ｂのための空間よりも大きくあるべきではない。図９では、ネジ２５Ａおよびナット２５Ｂは、第二位置決めポケット２１Ｂの二つの固定手段２４および組立プレートの固定孔１０を介して配置され、第三位置決めポケット２１Ｃでは、ネジ２５Ａとナット２５Ｂは第二位置決めポケット２１Ｂに近接する固定手段２４／固定孔１０を介して配置される。もし、ネジ２５Ａの頭の直径Ｄ′もしくはナット２５Ｂの大径Ｄ″のための空間が位置決めプレート２０Ａの端部内になければ、ネジ２５Ａは互いの回転領域に干渉して回らないので、ネジ２５Ａをすべての所望の固定手段２４／固定孔１０に配置することは不可能になる。したがって、ネジ頭の直径Ｄ′のための空間が位置決めプレート２０Ａの端部内にあることは、有利である。
【００３５】
図８は、本発明による組立プレート１と位置決め要素２の多くの異なる模型を組み立てた側面図である。図８に示す模型はまた、三次元模型であれば、図面の中に直接伸びるパーツを有しうると認識されたい。
【００３６】
図面の一番底では、模型がどのように床Ｇに載るか、および床Ｇに接触する模型の一部が、床Ｇに最も近い位置決め要素２の底辺２００であることが見られる。説明した例では、位置決め要素２の直交接続２３は厚さ４ｍｍであるが、当業者であれば、所望ならば厚くも薄くも変更可能であることが分かる。直交接続２３は、地面（床）Ｇとプレートの端部２６との間および異なる組立プレート１同士の距離Ａを作り出す。組立プレートの間の距離Ａは、本質的に仕切り壁２３の厚さと同じ大きさである。模型を滑らかにするために、組立プレート１のすべての角が位置決め要素２を有するのが好ましい。例えば、もし、図８において符号１００を有する組立プレートがその後ろに図面の中に真っすぐ伸びるいかなるパーツも備えず、組立プレート１００が単体であるならば、図面の一番底の右側の位置決め要素２は、位置決めポケットを一つしか備えず、位置決め要素２は、組立プレート１００を、床Ｇに対して最も低い列の他の組立プレートと同じ高さにする機能を有する。異なる組立プレート１を異なる位置決め要素２で結合することにより、どの模型を造るかを制限するものは想像のみとなる。一つのアイデアは、完成した模型キットを提供することであり、その内容は、例えば図１に示した二つの翼を有する飛行機のような、特定の模型を形成する。そして、組立キットは、飛行機１を組み立てるのに必要な組立プレート１および位置決め要素２を備える。そのアイデアはまた、組立プレート１と位置決め要素２とを、例えばネジおよびナットで互いに固定することが可能であり、異なるパーツが模型の上／内部で遊ぶ際にバラバラならないことを保証することを備える。ネジ頭の直径が約１ｃｍから４ｃｍのネジが、組立プレートおよび位置決め要素の大きさによって用いられるのが好ましく、それは、子供が、ネジやナットを取り扱うのに必要な精神運動スキルを操ることを意味する。また、組立キットは、例えばプラスチックを切り出して、寸法がネジ／ナットに適応して調節可能なスパナ状に形成される道具を含みうることも考えられる。組立キットは、幼稚園、放課後のレクリエーション施設、病院などで使うのに適した製品であるが、もちろん個人宅用の製品でもある。組立キットはまた、健康を害した際、リハビリ段階の“癒しの道具”として、介護で使われ、精神運動スキル、思考および創造性を簡単で楽しい方法で再び高めることを意図される。組立キットのさらなるアイデアは、完成した模型が提供される際に、プレート１は、一色から、レンガ、石、木、丸太など、および窓などには完全に透明な構造（例、プレキシガラス）などの異なる構造でのあらゆる実施形態で利用することが可能なことであり、全ては出来る限りリアルな模型にするためである。さらに、組立キットは、ギアレベル、制御、ペダル、ステアリングホイール、ランプ、ライトバー、ヒンジ、ロッド、カーペット、ダッシュボード、ロータブレード、椅子、バッテリー、電気モータ等のアクセサリを含みうることが考えられる。そしてまた、アクセサリには、プレートの位置決め手段１０を介しておよび／または位置決め要素２を介して簡単に模型の上に配置できるよう、固定手段が設けられる。その利点をさらに強化するために、組立キットは、布、武器、ヘルメット、眼鏡、人形、カーテンなどで完成し、リアルで面白い環境を獲得しうる。
【００３７】
本発明は、上記に限られず、添付の請求の範囲の内で変更しうる。例えば、位置決め要素および組立プレートの固定手段は、貫通孔以外でもありうることが分かる。例えば、パーツのいくつかでは孔であり、その他のパーツではふくらみである。ふくらみは、組立パネルを位置決め要素の中に挿入する際、貫通孔の中に落ち、解体の際、ふくらみは内側に押されてパーツが互いから外れるようになる。ネジやナットの代わりに、位置決め要素と組立プレートの孔を介して挿入される係止ピンを用いることも可能である。係止ピンは、挿入されると、その一部が直交位置の中に入り込み、ピンが孔を介して戻らないように係止する。解体の際は、直交部分は係止ピンと同じ位置に回転し、ピンは孔を介して持ち出され、パーツは分解されうる。
【図１】
0006466909.tif 000002
【図２】
0006466909.tif 000003
【図３】
0006466909.tif 000004
【図４ａ）】
0006466909.tif 000005
【図４ｂ）】
0006466909.tif 000006
【図４ｃ）】
0006466909.tif 000007
【図４ｄ）】
0006466909.tif 000008
【図４ｅ）】
0006466909.tif 000009
【図４ｆ）】
0006466909.tif 000010
【図４ｇ）】
0006466909.tif 000011
【図４ｈ）】
0006466909.tif 000012
【図４ｉ）】
0006466909.tif 000013
【図４ｊ）】
0006466909.tif 000014
【図５】
0006466909.tif 000015
【図６ａ）】
0006466909.tif 000016
【図６ｂ）】
0006466909.tif 000017
【図６ｃ）】
0006466909.tif 000018
【図６ｄ）】
0006466909.tif 000019
【図６ｅ）】
0006466909.tif 000020
【図７】
0006466909.tif 000021
【図８】
0006466909.tif 000022
【図９】
0006466909.tif 000023